(57)【要約】【課題】カップ状部材を安定して保持でき且つ収納スペースを小さくできるカップホルダを提供する。【解決手段】カップホルダ１は、開口部１１を有するケース１０と、ケース１０に収納された収納位置Ｐ２と上記ケースから上記開口部を通じて引き出された使用位置Ｐ１との間でスライド可能な本体部２０と、本体部２０に異なる回動軸３３，３４を中心に回動可能に取付けられた２つのアーム３１，３２と、を備え、２つのアーム３１，３２は、本体部２０が使用位置Ｐ１にあるときに本体部２０との間で周方向Ｄについて閉じられたカップ保持空間２２を形成し、本体部２０が使用位置Ｐ１から収納位置Ｐ２に向けてスライドするときにそれぞれの回動軸３３，３４を中心にカップ保持空間２２を狭める折り畳み方向Ｄ１，Ｄ２に回動するように構成されている。【選択図】図１
2020059458.tif 000002
【特許請求の範囲】
【請求項１】
開口部を有するケースと、
上記ケースに収納された収納位置と上記ケースから上記開口部を通じて引き出された使用位置との間でスライド可能な本体部と、
上記本体部に異なる回動軸を中心に回動可能に取付けられた複数のアームと、
を備え、
上記複数のアームは、上記本体部が上記使用位置にあるときに上記本体部との間で周方向について閉じられたカップ保持空間を形成し、上記本体部が上記使用位置から上記収納位置に向けてスライドするときにそれぞれの上記回動軸を中心に上記カップ保持空間が狭まる折り畳み方向に回動するように構成されている、カップホルダ。
【請求項２】
上記複数のアームは、駆動アーム及び被動アームによって構成されており、上記駆動アームが上記折り畳み方向に回動することによって上記被動アームを上記折り畳み方向に押動するように構成されている、請求項１に記載のカップホルダ。
【請求項３】
上記駆動アームは、上記本体部が上記使用位置にあるときに上記開口部の開口幅方向について縁部よりも外方へ突出した突出部を有し、上記本体部が上記使用位置から上記収納位置に向けてスライドするときに上記突出部において上記縁部に当接することによって上記折り畳み方向に回動するように構成されている、請求項２に記載のカップホルダ。
【請求項４】
上記被動アームの先端部には被動側係合面が設けられ、上記駆動アームの先端部には、上記本体部が上記使用位置にあるときに上記折り畳み方向の後方側から上記被動側係合面に係合可能に対向する駆動側係合面が設けられている、請求項２または３に記載のカップホルダ。
【請求項５】
上記開口部の開口幅方向について上記本体部の両側のそれぞれに上記駆動アーム及び上記被動アームからなるアームセットが設けられている、請求項２〜４のいずれか一項に記載のカップホルダ。
【請求項６】
上記本体部に支持位置と格納位置との間で回動可能に取付けられたトレイを備え、上記本体部は、上記トレイを上記格納位置において外郭内に格納する格納空間を有する、請求項２〜５のいずれか一項に記載のカップホルダ。
【請求項７】
上記トレイは、上記支持位置において上記本体部の上記カップ保持空間に挿入されたカップ状部材を下方から支持する支持部を有し、
上記支持部は、上記トレイが上記格納位置にあるとき、上記カップ保持空間のうち上記駆動アーム及び上記被動アームとの干渉が回避された干渉回避領域に配置されるように構成されている、請求項６に記載のカップホルダ。
【発明の詳細な説明】
【技術分野】
【０００１】
本発明は、カップ状部材を保持するためのカップホルダに関する。
【背景技術】
【０００２】
従来、この種のカップホルダとして、車両のインストルメントパネルなどに設けられるものが知られている。下記の特許文献１に開示のカップホルダは、使用位置と収納位置との間でスライド可能な本体部と、この本体部に設けられ使用位置でカップ状部材を収容可能な２つのリング部と、を備えている。２つのリング部は、本体部が使用位置から収納位置までスライドするとき互いに近接する方向に移動して部分的に重なり、収納位置で本体部とともにケースに完全に収納されるように構成されている。
【０００３】
上記のカップホルダは、２つのリング部がケースに収納された収納状態で部分的に重なるため嵩張るという問題を抱えている。そこで、このような問題に対しては、リング部の一部或いは全体を、回動軸を中心に回動できるように構成されたアームで置き換えるのが好ましい。この場合、例えば、下記の特許文献２，３にカップホルダを採用することができる。
【０００４】
特許文献２に開示のカップホルダは、本体部の両側に回動可能に取付けられた２つのアームを備えている。このカップホルダでは、上記のリング部の一部がアームで置き換えられている。各アームは、使用位置において本体部とで囲まれる略円形断面の保持空間を形成し、本体部が使用位置から収納位置へとスライドするときに内方へ回動して折り畳まれるように構成されている。
【０００５】
特許文献３に開示のカップホルダは、本体部に同軸で回動可能に取付けられた２つのアームを備えている。このカップホルダでは、上記のリング部の全体が２つのアームで置き換えられている。２つのアームは、使用位置において略円形断面の保持空間を形成し、本体部が使用位置から収納位置へとスライドするときにそれぞれが内方へ回動して折り畳まれるように構成されている。
【先行技術文献】
【特許文献】
【０００６】
【特許文献１】特開２００１−２５３２８７
【特許文献２】特開平１０−２３６２１０号公報
【特許文献３】特開２０１４−１１３８４６号公報
【発明の概要】
【発明が解決しようとする課題】
【０００７】
しかしながら、特許文献２に開示のカップホルダは、使用位置で本体部とアーム先端部との間に切り欠き部を設ける構造を有しているため、カップ状部材を保持する保持力が足りなかったり小型のカップ状部材がカップ保持空間から切り欠き部を通じて抜け出したりするそれがある。このため、カップ状部材を安定して保持するのが難しいことがある。また、特許文献３に開示のカップホルダは、本体部を収納するときに２つのアームを大きく回動させる必要があり、２つのアームを本体部とともに収納するために大きなスペースを要する。
【０００８】
本発明は、かかる課題に鑑みてなされたものであり、カップ状部材を安定して保持でき且つ収納スペースを小さくできるカップホルダを提供しようとするものである。
【課題を解決するための手段】
【０００９】
本発明の一態様は、
開口部を有するケースと、
上記ケースに収納された収納位置と上記ケースから上記開口部を通じて引き出された使用位置との間でスライド可能な本体部と、
上記本体部に異なる回動軸を中心に回動可能に取付けられた複数のアームと、
を備え、
上記複数のアームは、上記本体部が上記使用位置にあるときに上記本体部との間で周方向について閉じられたカップ保持空間を形成し、上記本体部が上記使用位置から上記収納位置に向けてスライドするときにそれぞれの上記回動軸を中心に上記カップ保持空間が狭まる折り畳み方向に回動するように構成されている、カップホルダ、
にある。
【発明の効果】
【００１０】
上記のカップホルダによれば、本体部が使用位置にあるとき、この本体部と複数のアームとによって周方向について閉じられたカップ保持空間が形成される。本体部とアーム先端部との間に切り欠き部のような間隔を設けないようにすることによって、カップ状部材を保持する保持力が足りなかったり小型のカップ状部材がカップ保持空間から抜け出したりするのを防ぐことができる。このため、カップ状部材を安定して保持することが可能になる。
【００１１】
また、本体部を収納するときには、複数のアームがそれぞれの回動軸を中心に折り畳み方向に回動することによってカップ保持空間が狭まる。このため、複数のアームを１つの回転軸を中心に回動させる構造に比べて、複数のアームを収納するための回動角度を小さくでき、複数のアームを本体部とともに収納するためのスペースを小さく抑えることができる。
【００１２】
以上のごとく、上記の態様によれば、カップ状部材を安定して保持でき且つ収納スペースを小さくできるカップホルダを提供することができる。
【図面の簡単な説明】
【００１３】
【図１】実施形態１のカップホルダの斜視図。
【図２】図１のカップホルダの分解斜視図。
【図３】図１のカップホルダについて本体部が使用位置にあるときの断面図。
【図４】図３において本体部が中間領域にあるときの断面図。
【図５】図３において本体部が収納位置にあるときの断面図。
【図６】図１のカップホルダについて本体部が使用位置にあるときの平面図。
【図７】図６において本体部が中間領域にあるときの平面図。
【図８】図６において本体部が中間領域にあるときの平面図。
【図９】図６において本体部が中間領域にあるときの平面図。
【図１０】図６において本体部が収納位置にあるときの平面図。
【図１１】実施形態２のカップホルダの図１に対応した斜視図。
【発明を実施するための形態】
【００１４】
上述の態様の好ましい実施形態について以下に説明する。
【００１５】
上記のカップホルダにおいて、上記複数のアームは、駆動アーム及び被動アームによって構成されており、上記駆動アームが上記折り畳み方向に回動することによって上記被動アームを上記折り畳み方向に押動するように構成されているのが好ましい。
【００１６】
このカップホルダによれば、駆動アームが折り畳み方向に回動する動作を利用して、駆動アームによって被動アームを押して折り畳み方向に回動させることが可能になる。このため、被動アームを折り畳み方向に回動させる構造について部品点数を少なくして製品コストを低減することができる。
【００１７】
上記のカップホルダにおいて、上記駆動アームは、上記本体部が上記使用位置にあるときに上記開口部の開口幅方向について縁部よりも外方へ突出した突出部を有し、上記本体部が上記使用位置から上記収納位置に向けてスライドするときに上記突出部において上記縁部と干渉することによって上記折り畳み方向に回動するように構成されているのが好ましい。
【００１８】
このカップホルダによれば、本体部が上記使用位置から上記収納位置に向けてスライドする動作に連動して、突出部においてケースの縁部と干渉した駆動アームが折り畳み方向に回動する。そして、この駆動アームが折り畳み方向に回動する動作に連動して、被動アームが折り畳み方向に回動する。この場合、本体部がスライドする動作を利用して、駆動アーム及び被動アームのそれぞれを回動させることができるため、駆動アーム及び被動アームを回動させる構造について、部品点数を少なくして製品コストを低減することができる。
【００１９】
上記のカップホルダにおいて、上記被動アームの先端部には被動側係合面が設けられ、上記駆動アームの先端部には、上記本体部が上記使用位置にあるときに上記折り畳み方向の後方側から上記被動側係合面に係合可能に対向する駆動側係合面が設けられているのが好ましい。
【００２０】
このカップホルダによれば、駆動アームの折り畳み方向の回動時の押圧力を駆動側係合面及び被動側係合面を介して被動アームに伝えることができる。
【００２１】
上記のカップホルダにおいて、上記開口部の開口幅方向について上記本体部の両側のそれぞれに上記駆動アーム及び上記被動アームからなるアームセットが設けられているのが好ましい。
【００２２】
このカップホルダによれば、本体部に２つのアームセットを設けることによって２つのカップ状部材を同時に保持することが可能になる。
【００２３】
上記のカップホルダは、上記本体部に支持位置と格納位置との間で回動可能に取付けられたトレイを備え、上記本体部は、上記トレイを上記格納位置において外郭内に格納する格納空間を有するのが好ましい。
【００２４】
このカップホルダ装置によれば、本体部を使用位置から収納位置までスライドさせて収納するときに、トレイを本体部の格納空間に格納することによって、トレイが本体部の収納の邪魔になるのを防ぐことができる。
【００２５】
上記のカップホルダにおいて、上記トレイは、上記支持位置において上記本体部の上記カップ保持空間に挿入されたカップ状部材を下方から支持する支持部を有し、
上記支持部は、上記トレイが上記格納位置にあるとき、上記カップ保持空間のうち上記駆動アーム及び上記被動アームとの干渉が回避された干渉回避領域に配置されるように構成されているのが好ましい。
【００２６】
このカップホルダによれば、トレイを格納位置に格納したときに、トレイの支持部を干渉回避領域に配置することによって、トレイの支持部が駆動アーム及び被動アームの折り畳みの邪魔になるのを防ぐことができる。
【００２７】
以下、車両に装着されるカップホルダの実施形態について、図面を参照しつつ説明する。
【００２８】
なお、このカップホルダの説明のための図面において、特にことわらない限り、カップホルダが装着される車両の前方を矢印ＦＲで示し、この車両の右方を矢印ＲＨで示し、この車両の上方を矢印ＵＰで示すものとする。また、カップホルダの左右方向を矢印Ｘで示し、このカップホルダの前後方向を矢印Ｙで示し、このカップホルダの高さ方向を矢印Ｚで示すものとする。
【００２９】
（実施形態１）
図１に示されるように、実施形態１のカップホルダ１は、車両前部のインストルメントパネル２のうち運転席と助手席との間の部位に組付けられるものである。このカップホルダ１は、樹脂材料を主材料とした樹脂成形体として構成されている。
【００３０】
カップホルダ１は、カップ状部材Ｗを保持するためのものであり、ケース１０と、本体部２０と、２つのアームセット３０と、トレイ４０と、２つのサポート４２と、を備えている。
【００３１】
ここでいう「カップ状部材Ｗ」として典型的には、飲み物などの液体を溜めることができる筒状部を有するカップ、コップ、グラスなどの容器や、ペットボトル、飲料缶などが挙げられる。
【００３２】
ケース１０は、車室に向かう対向面に開口部１１を有する。この開口部１１は、左右方向Ｘを開口幅方向とした矩形の開口部である。
【００３３】
本体部２０は、ケース１０に収納された収納位置Ｐ２（図５参照）と、ケース１０から開口部１１を通じて引き出された使用位置Ｐ１と、の間でケース１０の湾曲形状に倣った曲線方向にスライド可能に構成されている。この本体部２０は、左右方向Ｘの一方から視た側面視で前方ＦＲ側を凸として湾曲したプレート部材によって構成されている。
【００３４】
この本体部２０は、操作部２１を有し、この操作部２１がユーザによって操作されることによって、その位置が使用位置Ｐ１と収納位置Ｐ２とのいずれかに設定されるように構成されている。
【００３５】
２つのアームセット３０は、開口部１１の開口幅方向である左右方向Ｘについて本体部２０の両側のそれぞれに設けられており、いずれも本体部２０に異なる回動軸３３，３４を中心に回動可能に取付けられた駆動アーム３１及び被動アーム３２を備えている。被動アーム３２は、駆動アーム３１よりも前後方向Ｙの後方に配置されている。
【００３６】
回動軸３３，３４はいずれも、本体部２０が使用位置Ｐ１にあるときに、前後方向Ｙに沿って並置され且つ軸線が高さ方向Ｚに沿って延びるように配置される。また、前後方向Ｙの前側に回動軸３３が配置され、前後方向Ｙの後側に回動軸３４が配置される。
【００３７】
駆動アーム３１及び被動アーム３２は、本体部２０の高さ方向Ｚの領域の範囲内で回動するように構成されている。これにより、本体部２０の高さ方向Ｚの寸法が抑えられた薄型のカップホルダ構造を実現できる。
【００３８】
また、ケース１０及び本体部２０をともに湾曲形状とすることによって、前後方向Ｙの寸法を抑えた小型のカップホルダ構造を実現できる。
【００３９】
右側のアームセット３０は、駆動アーム３１としての右側駆動アーム３１Ｒと、被動アーム３２としての右側被動アーム３２Ｒと、を備え、右側駆動アーム３１Ｒが回動軸３３としての右側回動軸３３Ｒを介して、また右側被動アーム３２Ｒが回動軸３３としての右側回動軸３４Ｒを介して、本体部２０にそれぞれ取付けられている。
【００４０】
左側のアームセット３０は、駆動アーム３１としての左側駆動アーム３１Ｌと、被動アーム３２としての左側被動アーム３２Ｌと、を備え、左側駆動アーム３１Ｌが回動軸３３としての左側回動軸３３Ｌを介して、また左側被動アーム３２Ｌが回動軸３４としての左側回動軸３４Ｌを介して、本体部２０にそれぞれ取付けられている。
【００４１】
なお、以下の説明では、便宜上、右側駆動アーム３１Ｒ及び右側被動アーム３２Ｒをそれぞれ、単に駆動アーム３１Ｒ及び被動アーム３２Ｒといい、左側駆動アーム３１Ｌ及び左側被動アーム３２Ｌをそれぞれ、単に駆動アーム３１Ｌ及び被動アーム３２Ｌという。また、右側回動軸３３Ｒ及び右側回動軸３４Ｒをそれぞれ、単に回動軸３３Ｒ及び回動軸３４Ｒといい、左側回動軸３３Ｌ及び左側回動軸３４Ｌをそれぞれ、単に回動軸３３Ｌ及び回動軸３４Ｌという。
【００４２】
右側のアームセット３０において、駆動アーム３１Ｒ及び被動アーム３２Ｒは、本体部２０が使用位置Ｐ１にあるときに本体部２０の凹部との間で周方向Ｄについて閉じられたカップ保持空間２２を形成している。このとき、駆動アーム３１Ｒ及び被動アーム３２Ｒは、右側のカップ保持空間２２を区画する円環状のリング部分の一部を構成している。
【００４３】
駆動アーム３１Ｒは、カップ保持空間２２の上面視を略円形とする保持位置に向けてバネ部材３７によって常時に弾性付勢されており、且つカップ保持空間２２を広げる方向の動きがストッパ（図示省略）によって阻止されている。
【００４４】
被動アーム３２Ｒは、カップ保持空間２２の上面視を略円形とする保持位置に向けてバネ部材３７によって常時に弾性付勢されており、且つカップ保持空間２２を広げる方向の動きが駆動アーム３１Ｒとの係合によって阻止されている。
【００４５】
左側のアームセット３０においても同様に、駆動アーム３１Ｌ及び被動アーム３２Ｌは、本体部２０が使用位置Ｐ１にあるときに本体部２０の凹部との間で周方向Ｄについて閉じられたカップ保持空間２２を形成している。このとき、駆動アーム３１Ｌ及び被動アーム３２Ｌは、左側のカップ保持空間２２を区画する円環状のリング部分の一部を構成している。
【００４６】
駆動アーム３１Ｌは、カップ保持空間２２の上面視を略円形とする保持位置に向けてバネ部材３７によって常時に弾性付勢されており、且つカップ保持空間２２を広げる方向の動きがストッパ（図示省略）によって阻止されている。
【００４７】
被動アーム３２Ｌは、カップ保持空間２２の上面視を略円形とする保持位置に向けてバネ部材３７によって常時に弾性付勢されており、且つカップ保持空間２２を広げる方向の動きが駆動アーム３１Ｌとの係合によって阻止されている。
【００４８】
トレイ４０は、本体部２０に支持位置Ｑ１と後述の格納位置Ｑ２（図２参照）との間で回動可能に取付けられている。このトレイ４０は、支持位置Ｑ１において本体部２０のカップ保持空間２２に挿入されたカップ状部材Ｗを下方から支持する２つの支持部４１を有する。２つの支持部４１のうちの一方は右側のアームセット３０に対応して設けられ、他方は左側のアームセット３０に対応して設けられている。
【００４９】
サポート４２は、カップ状部材Ｗの径方向の寸法が異なる場合でも当該カップ状部材Ｗをカップ保持空間２２で保持するための凹面を有する。このサポート４２は、本体部２０の凹部からカップ保持空間２２に回動軸４２ａ（図６参照）を中心に回動可能に突出しており、且つバネ部材（図示省略）の弾性付勢力によってその突出位置に設定されている。
【００５０】
このため、カップ状部材Ｗの径方向の寸法がサポート４２と干渉する程度に大きいときには、サポート４２は、カップ保持空間２２に挿入されたカップ状部材Ｗによって押圧されてバネ部材の弾性付勢力に抗して下向きに回動できるようになっている。
【００５１】
なお、必要に応じて、このサポート４２を省略することもできる。
【００５２】
ケース１０は、上部ケース部材１３、下部ケース部材１４、及びレール部材１６を有する。上部ケース部材１３、下部ケース部材１４、及びレール部材１６はいずれも、本体部２０の湾曲形状に倣って湾曲している。
【００５３】
上部ケース部材１３は、後述の第１ギア１７ａに噛み合うギア溝１３ａを有する。下部ケース部材１４は、後述の板バネ１９の他端部を係止する係止部１４ａを有する。上部ケース部材１３及び下部ケース部材１４は、互いに接合されることによって、レール部材１６及び本体部２０を収納するための収納空間１５を形成する。この収納空間１５では、レール部材１６と下部ケース部材１４との間に本体部２０が配置されるようになっている。
【００５４】
レール部材１６は、上部ケース部材１３にレール溝（図示省略）を介してスライド可能に係合している。このレール部材１６は、貫通穴１６ａにギア機構１７が回転可能に取付けられている。ギア機構１７は、いずれも円柱形状の第１ギア１７ａ及び第２ギア１７ｂを有する。このギア機構１７は、第１ギア１７ａにおいて上部ケース部材１３のギア溝１３ａと噛み合い、第２ギア１７ｂにおいて本体部２０に設けられているギア溝２０ａと噛み合うように構成されている。
【００５５】
図２及び図３に示されるように、このレール部材１６は、板バネ１９と、この板バネ１９の巻き出し及び巻き取りが可能な回転軸１８と、を備えている。板バネ１９は、その一端部が回転軸１８に連結され、その他端部が下部ケース部材１４の係止部１４ａに連結されている。この板バネ１９は、巻き取り式のバネであり、本体部２０を使用位置Ｐ１（図１参照）に向けて常時に弾性付勢する機能を果たす。
【００５６】
図３に示されるように、本体部２０は、その裏面側に格納空間２３を有する。この格納空間２３は、トレイ４０を格納位置Ｑ２において本体部２０の外郭内に格納するためのもものである。トレイ４０は、回動軸４０ａを中心に支持位置Ｑ１から格納位置Ｑ２まで回動した状態では、高さ方向Ｚについて本体部２０からはみ出すことがない。このため、トレイ４０を含めて本体部２０の高さ方向Ｚの寸法が抑えられた薄型のカップホルダ構造を実現できる。
【００５７】
図３及び図４に示されるように、使用位置Ｐ１にある本体部２０は、操作部２１がユーザによってインストルメントパネル２に向けて押されることによって、板バネ１９の弾性付勢力に抗して収納空間１５に押し込まれる。このとき、本体部２０は、レール部材１６に沿って下降する。また、ギア機構１７は、図中の時計回り方向に回転しながらギア溝１３ａ及びギア溝２０ａに沿って下方する。
【００５８】
このとき、トレイ４０は、本体部２０が中間領域Ｐ３を収納位置Ｐ２に向けてスライドする途中で下部ケース部材１４に接触して支持位置Ｑ１から格納位置Ｑ２まで回動するようになっている。勿論、ユーザがトレイ４０を直に把持して支持位置Ｑ１から格納位置Ｑ２まで予め回動させてもよい。
【００５９】
図５に示されるように、操作部２１がインストルメントパネル２と概ね面一な状態まで押し込まれることによって、本体部２０が格納位置Ｑ２に達する。このとき、本体部２０は、上部ケース部材１３に設けられている既知のロック機構（図示省略）によって格納位置Ｑ２でロックされ、また操作部２１が再び押されることによってこのロック機構によるロックが解除されるように構成されている。このため、本体部２０は、ロックが解除されることによって、板バネ１９の弾性付勢力にしたがって使用位置Ｐ１まで自動復帰するようになっている（図３参照）。
【００６０】
図６に示されるように、右側のアームセット３０の駆動アーム３１Ｒ及び被動アーム３２Ｒは、本体部２０が使用位置Ｐ１から収納位置Ｐ２に向けてスライドするときにそれぞれの回動軸３３Ｒ，３４Ｒを中心にバネ部材３７の弾性付勢力に抗してカップ保持空間２２を狭める折り畳み方向Ｄ１，Ｄ２に回動するように構成されている。
【００６１】
同様に、左側のアームセット３０の駆動アーム３１Ｌ及び被動アーム３２Ｌは、本体部２０が使用位置Ｐ１から収納位置Ｐ２に向けてスライドするときにそれぞれの回動軸３３Ｌ，３４Ｌを中心にバネ部材３７の弾性付勢力に抗してカップ保持空間２２を狭める折り畳み方向Ｄ１，Ｄ２に回動するように構成されている。
【００６２】
カップ保持空間２２を狭める折り畳み方向Ｄ１，Ｄ２とは、本体部２０の上面視でカップ保持空間２２の面積（断面積）を縮小する方向をいう。駆動アーム３１Ｒ，３１Ｌの折り畳み方向Ｄ１と、被動アーム３２Ｒ，３２Ｌの折り畳み方向Ｄ２は、周方向Ｄについて互いに逆向きの関係にある。
【００６３】
ここで、駆動アーム３１Ｒ，３１Ｌはいずれも、本体部２０が使用位置Ｐ１にあるときに開口部１１の開口幅方向である左右方向Ｘについて縁部１２よりも外方へ突出した突出部３１ａを有する。このため、駆動アーム３１Ｒ，３１Ｌはいずれも、本体部２０が使用位置Ｐ１から収納位置Ｐ２に向けてスライドするときに突出部３１ａにおいてケース１０の縁部１２に干渉することによって折り畳み方向Ｄ１に回動するように構成されている。
【００６４】
また、被動アーム３２Ｒ，３２Ｌの先端部にはいずれも、被動側係合面３６が設けられている。これに対して、駆動アーム３１Ｒ，３１Ｌの先端部にはいずれも、本体部２０が使用位置Ｐ１にあるときに折り畳み方向Ｄ１の後方側から被動側係合面３６に係合可能に対向する駆動側係合面３５が設けられている。
【００６５】
これら駆動側係合面３５及び被動側係合面３６はいずれも、左右方向Ｘに対して互いに概ね平行に傾斜した傾斜面である。駆動側係合面３５は、左右方向Ｘについて被動側係合面３６よりも外側に配置されている。本体部２０の使用位置Ｐ１において２つの係合面３５，３６において互いに面接触した状態では、駆動アーム３１Ｒ，３１Ｌと被動アーム３２Ｒ，３２Ｌとによって形成される外周面及び内周面はいずれも面一な曲面となる。
【００６６】
本体部２０が使用位置Ｐ１から収納位置Ｐ２に向けてスライドするときに、駆動アーム３１Ｒ，３１Ｌが折り畳み方向Ｄ１に回動し、この折り畳み方向Ｄ１の押圧力を駆動側係合面３５及び被動側係合面３６を介して被動アーム３２Ｒ，３２Ｌに伝えることができる。その結果、被動アーム３２Ｒ，３２が折り畳み方向Ｄ２に回動し始める。このように、駆動アーム３１Ｒ，３１Ｌが被動アーム３２Ｒ，３２Ｌを折り畳み方向Ｄ２に押動するように構成されている。
【００６７】
図７に示されるように、本体部２０の中間領域Ｐ３では、駆動アーム３１Ｒ，３１Ｌの折り畳み方向Ｄ１の回動に伴って、駆動側係合面３５及び被動側係合面３６がカップ保持空間２２を狭める方向に互いに摺動する。このとき、駆動側係合面３５及び被動側係合面３６がともに傾斜面であるため、この摺動が円滑に行われる。
【００６８】
図８に示されるように、駆動アーム３１Ｒ，３１Ｌの折り畳み方向Ｄ１の回動が進行すると、被動アーム３２Ｒ，３２Ｌは、駆動アーム３１Ｒ，３１Ｌの内側に配置され、その外周面が駆動アーム３１Ｒ，３１Ｌと摺動しながら折り畳み方向Ｄ２に回動する。
【００６９】
図９に示されるように、駆動アーム３１Ｒ，３１Ｌ及び被動アーム３２Ｒ，３２Ｌが最終的な折り畳み位置まで回動した状態では、トレイ４０が格納位置Ｑ２（図３参照）に配置されて本体部２０の格納空間２３に格納される。
【００７０】
トレイ４０が格納位置Ｑ２にあるとき、支持部４１及びサポート４２は、本体部２０の外郭からはみ出すことなく、カップ保持空間２２において折り畳み位置まで回動した駆動アーム３１Ｒ，３１Ｌ及び被動アーム３２Ｒ，３２Ｌと並置される。
【００７１】
ここで、トレイ４０の支持部４１は、カップ保持空間２２のうち駆動アーム３１Ｒ，３１Ｌ及び被動アーム３２Ｒ，３２Ｌとの干渉が回避された干渉回避領域２２ａに配置されるように構成されている。また、サポート４２もこの干渉回避領域２２ａに配置されている。
【００７２】
干渉回避領域２２ａは、駆動アーム３１Ｒ，３１Ｌの回動軸３３Ｒ，３３Ｌと被動アーム３２Ｒ，３２Ｌの回動軸３４Ｒ，３４Ｌとを通る仮想直線Ｌを挟んで駆動アーム３１Ｒ，３１Ｌ及び被動アーム３２Ｒ，３２Ｌとは反対側に設けられた領域である。
【００７３】
上記のように、本体部２０を使用位置Ｐ１から収納位置Ｐ２までスライドさせて収納するときに、トレイ４０を本体部２０の格納空間２３に格納することによって、トレイ４０が本体部２０の収納の邪魔になるのを防ぐことができる。また、トレイ４０を格納位置Ｑ２に格納したときに、トレイ４０の支持部４１を干渉回避領域２２ａに配置することによって、トレイ４０の支持部４１が駆動アーム３１Ｒ，３１Ｌ及び被動アーム３２Ｒ，３２Ｌの折り畳みの邪魔になるのを防ぐことができる。
【００７４】
図１０に示されるように、本体部２０が中間領域Ｐ３を経て最終的にケース１０の収納空間１５に収納されると、折り畳み位置まで回動した駆動アーム３１Ｒ，３１Ｌ及び被動アーム３２Ｒ，３２Ｌもケース１０の収納空間１５に収納される。
【００７５】
次に、実施形態１の作用効果について説明する。
【００７６】
上記のカップホルダ１によれば、本体部２０が使用位置Ｐ１にあるとき、２つのアームセット３０のそれぞれにおいて、本体部２０と駆動アーム３１Ｒ，３１Ｌ及び被動アーム３２Ｒ，３２Ｌとによって周方向Ｄについて閉じられたカップ保持空間２２が形成される。本体部２０とアーム先端部との間に切り欠き部のような間隔を設けないようにすることによって、カップ状部材Ｗを保持する保持力が足りなかったり小型のカップ状部材Ｗがカップ保持空間２２から抜け出したりするのを防ぐことができる。このため、カップ状部材Ｗを安定して保持することが可能になる。
【００７７】
また、本体部２０を収納するときには、駆動アーム３１Ｒ，３１Ｌ及び被動アーム３２Ｒ，３２Ｌがそれぞれの回動軸３３，３４を中心に折り畳み方向Ｄ１，Ｄ２に回動することによってカップ保持空間２２が狭まる。このため、駆動アーム３１Ｒ，３１Ｌ及び被動アーム３２Ｒ，３２Ｌを１つの回転軸を中心に回動させる構造に比べて、駆動アーム３１Ｒ，３１Ｌ及び被動アーム３２Ｒ，３２Ｌを収納するための回動角度を小さくでき、駆動アーム３１Ｒ，３１Ｌ及び被動アーム３２Ｒ，３２Ｌを本体部２０とともに収納するためのスペースを小さく抑えることができる。
【００７８】
従って、カップ状部材Ｗを安定して保持でき且つ収納スペースを小さくできるカップホルダ１を提供することができる。
【００７９】
上記のカップホルダ１によれば、駆動アーム３１Ｒ，３１Ｌが折り畳み方向Ｄ１に回動する動作を利用して、駆動アーム３１Ｒ，３１Ｌによって被動アーム３２Ｒ，３２Ｌを押して折り畳み方向Ｄ２に回動させることが可能になる。このため、被動アーム３２Ｒ，３２Ｌを折り畳み方向Ｄ２に回動させる構造について、部品点数を少なくして製品コストを低減することができる。
【００８０】
上記のカップホルダ１によれば、本体部２０が使用位置Ｐ１から収納位置Ｐ２に向けてスライドする動作に連動して、突出部３１ａにおいてケース１０の縁部１２と干渉した駆動アーム３１Ｒ，３１Ｌが折り畳み方向Ｄ１に回動する。そして、この駆動アーム３１Ｒ，３１Ｌが折り畳み方向Ｄ１に回動する動作に連動して、被動アーム３２Ｒ，３２Ｌが折り畳み方向Ｄ２に回動する。この場合、本体部２０がスライドする動作を利用して、駆動アーム３１Ｒ，３１Ｌ及び被動アーム３２Ｒ，３２Ｌのそれぞれを回動させることができるため、駆動アーム３１Ｒ，３１Ｌ及び被動アーム３２Ｒ，３２Ｌを回動させる構造について、部品点数を少なくして製品コストを低減することができる。
【００８１】
上記のカップホルダ１によれば、本体部２０に２つのアームセット３０を設けることによって２つのカップ状部材Ｗを同時に保持することが可能になる。
【００８２】
以下、上記の実施形態１に関連する他の実施形態について図面を参照しつつ説明する。他の実施形態において、実施形態１の要素と同一の要素には同一の符号を付しており、当該同一の要素についての説明は省略する。
【００８３】
（実施形態２）
図１１に示されるように、実施形態２のカップホルダ１０１は、アームセット３０が１つのである点で、実施形態１のカップホルダ１と相違している。アームセット３０は、回動軸３３を中心に回動可能な駆動アーム３１と、回動軸３４を中心に回動可能な被動アーム３２と、によって構成されている。
その他の構成は、実施形態１と同様である。
【００８４】
実施形態２によれば、カップ状部材Ｗを安定して保持でき且つ収納スペースを小さくできる一人用のカップホルダ１０１を提供できる。
その他、実施形態１と同様の作用効果を奏する。
【００８５】
本発明は、上述の実施形態のみに限定されるものではなく、本発明の目的を逸脱しない限りにおいて種々の応用や変更が考えられる。例えば、上述の実施形態を応用した次の各形態を実施することもできる。
【００８６】
上述の実施形態では、アームセット３０を構成するアームの数が２つである場合について例示したが、アームセット３０を構成するアームの数はこれに限定されるものではなく、必要に応じて３つ以上にすることもできる。
【００８７】
上述の実施形態では、本体部２０がスライドするときに駆動アーム３１の突出部３１ａがケース１０の縁部１２と干渉することを利用して、駆動アーム３１を折り畳み方向Ｄ１に回動させる構造について例示したが、駆動アーム３１を折り畳み方向Ｄ１に回動させる構造は本構造以外であってもよい。例えば、駆動アーム３１が本体部２０に既知のリンク機構やギア機構を介して連結された構造を採用することができる。
【００８８】
上述の実施形態では、駆動アーム３１が回動時に被動アーム３２を折り畳み方向Ｄ２に押動する場合について例示したが、被動アーム３２を折り畳み方向Ｄ２に回動させる構造は本構造以外であってもよい。例えば、被動アーム３２が駆動アーム３１に既知のリンク機構やギア機構を介して連結された構造を採用することができる。
【００８９】
上述の実施形態では、駆動アーム３１の駆動側係合面３５と被動アーム３２の被動側係合面３６がいずれも傾斜面である場合について例示したが、必要に応じて、駆動側係合面３５及び被動側係合面３６を互いに面接触可能な段差面、湾曲面等に変更することもできる。
【００９０】
上述の実施形態では、トレイ４０が格納位置Ｑ２において本体部２０の外郭内に格納される場合について例示したが、これに代えて、トレイ４０が格納位置Ｑ２において本体部２０の外郭からはみ出す構造を採用することもできる。
【００９１】
上述の実施形態では、本体部２０が曲線方向にスライドする構造について例示したが、これに代えて、本体部２０が水平方向に直線的にスライドする構造を採用することもできる。
【００９２】
上述の実施形態では、車両前部のインストルメントパネル２に組付けられるカップホルダ１，１０１について例示したが、組付け箇所はインストルメントパネル２に限定されるものではない。これらのカップホルダ１，１０１の構造を、例えば、車両の他の部位に組付けられるカップホルダや、会議場、劇場、映画館などの屋内施設に配置されるシート等に装着されるカップホルダの構造に適用することもできる。
【符号の説明】
【００９３】
１，１０１  カップホルダ
１０  ケース
１１  開口部
１２  縁部
２０  本体部
２２  カップ保持空間
２２ａ  干渉回避領域
２３  格納空間
３０  アームセット
３１，３１Ｒ，３１Ｌ  駆動アーム
３２，３２Ｒ，３２Ｌ  被動アーム
３３，３３Ｒ，３３Ｌ，３４，３４Ｒ，３４Ｌ  回動軸
３５  駆動側係合面
３６  被動側係合面
４０  トレイ
４１  支持部
Ｄ  周方向
Ｄ１，Ｄ２  折り畳み方向
Ｐ１  使用位置
Ｐ２  収納位置
Ｑ１  支持位置
Ｑ２  格納位置
Ｘ  左右方向（開口幅方向）
Ｗ  カップ状部材
【図１】
2020059458.tif 000003
【図２】
2020059458.tif 000004
【図３】
2020059458.tif 000005
【図４】
2020059458.tif 000006
【図５】
2020059458.tif 000007
【図６】
2020059458.tif 000008
【図７】
2020059458.tif 000009
【図８】
2020059458.tif 000010
【図９】
2020059458.tif 000011
【図１０】
2020059458.tif 000012
【図１１】
2020059458.tif 000013